(57)【要約】【課題】短時間で定常状態に達することのできる磁気ヒートポンプ装置を提供する。【解決手段】磁気ヒートポンプ装置１は、ＭＣＭ熱交換器１０と、ＭＣＭ熱交換器の一端と低温側熱交換器３０を接続する低温側配管系２０と、ＭＣＭ熱交換器の他端と高温側熱交換器６０を接続する高温側配管系５０と、往復ポンプ４０，７０と、を備え、低温側配管系は、低温側往復ポンプに対して、一方の側に設けられた第１の方向制御器２４と、他方の側に設けられた第２の方向制御器２５と、を含み、高温側配管系は、高温側往復ポンプに対して、一方の側に設けられた第３の方向制御器５４と、他方の側に設けられた第４の方向制御器５５と、を含み、第１の方向制御器は双方向状態又は一方向状態に切り替えるように構成され、第２の方向制御器は一方向状態又は遮断状態に切り替えるように構成され、第３及び第４の方向制御器は少なくとも一方向に制限するように構成されている。【選択図】図１
2019027610.tif 000002
【特許請求の範囲】
【請求項１】
磁気熱量効果を有する磁気熱量効果材料を有する内部熱交換器と、
前記磁気熱量効果材料に磁場を印加すると共に前記磁場の大きさを変更するように構成された磁場印加装置と、
前記内部熱交換器の一端と第１の外部熱交換器を接続する第１の配管系と、
前記内部熱交換器の他端と第２の外部熱交換器を接続する第２の配管系と、
前記第１及び前記第２の配管系にそれぞれ接続された第１及び第２の往復ポンプと、
前記磁場印加装置、前記第１の往復ポンプ、及び前記第２の往復ポンプを連動させるように制御する制御装置と、を備えており、
前記第１の配管系は、
前記第１の往復ポンプに対して一方の側に設けられた第１の方向制御器と、
前記第１の往復ポンプに対して他方の側に設けられた第２の方向制御器と、を含み、
前記第２の配管系は、
前記第２の往復ポンプに対して一方の側に設けられた第３の方向制御器と、
前記第２の往復ポンプに対して他方の側に設けられた第４の方向制御器と、を含み、
前記第１の方向制御器は、流体の流路を、双方向状態、又は、一方向状態に切り替えるように構成され、
前記第２の方向制御器は、前記流体の流路を、前記一方向状態、又は、遮断状態に切り替えるように構成されており、
前記双方向状態は、前記流体が双方向に流通可能な状態であり、
前記一方向状態は、前記流体の流通方向を一方向に制限する状態であり、
前記遮断状態は、前記流体の流通を遮断する状態であり、
前記第３及び前記第４の方向制御器は、少なくとも前記流体の流通方向を一方向に制限するように構成された磁気ヒートポンプ装置。
【請求項２】
請求項１に記載の磁気ヒートポンプ装置であって、
前記第１の配管系は、
前記内部熱交換器に接続された第１の配管と、
前記第１の配管と前記第１の外部熱交換器とを接続する第２の配管と、
前記第１の外部熱交換器と前記内部熱交換器とを接続する第３の配管と、を含み、
前記第１の往復ポンプは、前記第１の配管と前記第２の配管との間に接続され、
前記第１又は前記第２の方向制御器の一方は、前記第１の配管に設けられ、
前記第２又は前記第１の方向制御器の他方は、前記第２又は前記第３の配管に設けられており、
前記第２の配管系は、
前記内部熱交換器に接続された第４の配管と、
前記第４の配管と前記第２の外部熱交換器とを接続する第５の配管と、
前記第２の外部熱交換器と前記内部熱交換器とを接続する第６の配管と、を含み、
前記第２の往復ポンプは、前記第４の配管と前記第５の配管との間に接続され、
前記第３又は前記第４の方向制御器の一方は、前記第４の配管に設けられ、
前記第４又は前記第３の方向制御器の他方は、前記第５又は前記第６の配管に設けられた磁気ヒートポンプ装置。
【請求項３】
請求項１又は２に記載の磁気ヒートポンプ装置であって、
前記第３の方向制御器は、前記流体の流路を、前記双方向状態、又は、前記一方向状態に切り替えるように構成され、
前記第４の方向制御器は、前記流体の流路を、前記一方向状態、又は、前記遮断状態に切り替えるように構成されており、
前記第１の方向制御器が前記双方向状態を選択し、前記第２の方向制御器が前記遮断状態を選択し、並びに、前記第３及び前記第４の方向制御器が前記一方向状態を選択することで、前記第１の往復ポンプと前記第２の往復ポンプとの間に第１の経路を形成可能であり、
前記第１〜前記第４の方向制御器が前記一方向状態を選択することで、前記第１の往復ポンプと前記第２の往復ポンプとの間に第２の経路を形成可能である磁気ヒートポンプ装置。
【請求項４】
請求項１又は２に記載の磁気ヒートポンプ装置であって、
前記第３及び前記第４の方向制御器は、逆止弁であり、
前記第１の方向制御器が前記双方向状態を選択し、且つ、前記第２の方向制御器が前記遮断状態を選択することで、前記第１の往復ポンプと前記第２の往復ポンプとの間に第１の経路を形成可能であり、
前記第１及び前記第２の方向制御器が前記一方向状態を選択することで、前記第１の往復ポンプと前記第２の往復ポンプとの間に第２の経路を形成可能である磁気ヒートポンプ装置。
【請求項５】
請求項１又は２に記載の磁気ヒートポンプ装置であって、
前記第３の方向制御器は、前記流体の流路を、前記双方向状態、又は、前記一方向状態に切り替えるように構成され、
前記第４の方向制御器は、前記流体の流路を、前記一方向状態、又は、前記遮断状態に切り替えるように構成されており、
前記第１及び前記第３の方向制御器が前記双方向状態を選択し、並びに、前記第２及び前記第４の方向制御器が前記遮断状態を選択することで、前記第１の往復ポンプと前記第２の往復ポンプとの間に第３の経路を形成可能であり、
前記第１〜前記第４の方向制御器が前記一方向状態を選択することで、前記第１の往復ポンプと前記第２の往復ポンプとの間に第２の経路を形成可能である磁気ヒートポンプ装置。
【請求項６】
請求項３又は５に記載の磁気ヒートポンプ装置であって、
前記第１及び前記第３の方向制御器は、
第１の逆止弁と、
前記第１の逆止弁と直列に接続された第１の開閉弁と、
前記第１の逆止弁及び前記第１の開閉弁に並列に接続された第２の開閉弁と、をそれぞれ含み、
前記第２及び前記第４の方向制御器は、
第２の逆止弁と、
前記第２の逆止弁に直列に接続された第３の開閉弁と、をそれぞれ含む磁気ヒートポンプ装置。
【請求項７】
請求項４に記載の磁気ヒートポンプ装置であって、
前記第１の方向制御器は、
第１の逆止弁と、
前記第１の逆止弁と直列に接続された第１の開閉弁と、
前記第１の逆止弁及び第１の開閉弁に並列に接続された第２の開閉弁と、を含み、
前記第２の方向制御器は、
第２の逆止弁と、
前記第２の逆止弁に直列に接続された第３の開閉弁と、を含む磁気ヒートポンプ装置。
【請求項８】
請求項３に記載の磁気ヒートポンプ装置であって、
前記磁気ヒートポンプ装置は、前記内部熱交換器内の温度を検出する温度センサを備え、
前記制御装置は、前記温度センサの検出結果に基づいて、前記内部熱交換器内の温度が所定温度範囲に含まれているか否かを判断し、
前記制御装置は、
前記内部熱交換器内の温度が所定温度範囲に含まれていない場合に、前記第１の経路を形成するように前記第１〜第４の方向制御器を制御し、
前記内部熱交換器内の温度が所定温度範囲に含まれている場合に、前記第２の経路を形成するように前記第１〜第４の方向制御器を制御する磁気ヒートポンプ装置。
【請求項９】
請求項４に記載の磁気ヒートポンプ装置であって、
前記磁気ヒートポンプ装置は、前記内部熱交換器内の温度を検出する温度センサを備え、
前記制御装置は、前記温度センサの検出結果に基づいて、前記内部熱交換器内の温度が所定温度範囲に含まれているか否かを判断し、
前記制御装置は、
前記内部熱交換器内の温度が所定温度範囲に含まれていない場合に、前記第１の経路を形成するように前記第１及び前記第２の方向制御器を制御し、
前記内部熱交換器内の温度が所定温度範囲に含まれている場合に、前記第２の経路を形成するように前記第１及び前記第２の方向制御器を制御する磁気ヒートポンプ装置。
【請求項１０】
請求項５に記載の磁気ヒートポンプ装置であって、
前記磁気ヒートポンプ装置は、
前記内部熱交換器の一端の温度を検出する第１の温度センサと、
前記内部熱交換器の他端の温度を検出する第２の温度センサと、を備え、
前記制御装置は、前記第１及び前記第２の温度センサの検出結果に基づいて、前記内部熱交換器の両端の温度差を算出し、前記温度差が所定値以上であるか否かを判断し、
前記制御装置は、
前記温度差が前記所定値未満である場合に、前記第３の経路を形成するように前記第１〜第４の方向制御器を制御し、
前記温度差が前記所定値以上である場合に、前記第２の経路を形成するように前記第１〜第４の方向制御器を制御する磁気ヒートポンプ装置。
【発明の詳細な説明】
【技術分野】
【０００１】
本発明は、磁気熱量効果を利用した磁気ヒートポンプ装置に関するものである。
【背景技術】
【０００２】
磁気熱量素子、磁気変調装置、及び熱輸送装置を備えたＡＭＲ（Active Magnetic Refrigeration）方式の磁気熱量効果型ヒートポンプ装置が知られている（例えば特許文献１参照）。
【先行技術文献】
【特許文献】
【０００３】
【特許文献１】特開２０１４−２０９０４１号公報
【発明の概要】
【発明が解決しようとする課題】
【０００４】
ＡＭＲ方式では、磁気熱量素子への励磁／消磁と熱輸送媒体の移動を繰り返して、磁気熱量素子自体の温度を最適動作温度とすると共に、磁気熱量素子の両端に一定の温度勾配を形成することで、定常状態に達する。これに対し、上記の装置では、起動時においても熱輸送媒体が外部熱交換器を循環する構成となっているため、磁気熱量素子の温度を効率的に最適動作温度としたり、磁気熱量素子に温度勾配を効率的に形成することができず、定常状態に達するまで時間が掛かってしまう、という問題がある。
【０００５】
本発明が解決しようとする課題は、短時間で定常状態に達することのできる磁気ヒートポンプ装置を提供することである。
【課題を解決するための手段】
【０００６】
［１］本発明に係る磁気ヒートポンプ装置は、磁気熱量効果を有する磁気熱量効果材料を有する内部熱交換器と、前記磁気熱量効果材料に磁場を印加すると共に前記磁場の大きさを変更するように構成された磁場印加装置と、前記内部熱交換器の一端と第１の外部熱交換器を接続する第１の配管系と、前記内部熱交換器の他端と第２の外部熱交換器を接続する第２の配管系と、前記第１及び前記第２の配管系にそれぞれ接続された第１及び第２の往復ポンプと、前記磁場印加装置、前記第１の往復ポンプ、及び前記第２の往復ポンプを連動させるように制御する制御装置と、を備えており、前記第１の配管系は、前記第１の往復ポンプに対して一方の側に設けられた第１の方向制御器と、前記第１の往復ポンプに対して他方の側に設けられた第２の方向制御器と、を含み、前記第２の配管系は、前記第２の往復ポンプに対して一方の側に設けられた第３の方向制御器と、前記第２の往復ポンプに対して他方の側に設けられた第４の方向制御器と、を含み、前記第１の方向制御器は、流体の流路を、双方向状態、又は、一方向状態に切り替えるように構成され、前記第２の方向制御器は、前記流体の流路を、前記一方向状態、又は、遮断状態に切り替えるように構成されており、前記双方向状態は、前記流体が双方向に流通可能な状態であり、前記一方向状態は、前記流体の流通方向を一方向に制限する状態であり、前記遮断状態は、前記流体の流通を遮断する状態であり、前記第３及び前記第４の方向制御器は、少なくとも前記流体の流通方向を一方向に制限するように構成された磁気ヒートポンプ装置である。
【０００７】
［２］上記発明において、前記第１の配管系は、前記内部熱交換器に接続された第１の配管と、前記第１の配管と前記第１の外部熱交換器とを接続する第２の配管と、前記第１の外部熱交換器と前記内部熱交換器とを接続する第３の配管と、を含み、前記第１の往復ポンプは、前記第１の配管と前記第２の配管との間に接続され、前記第１又は前記第２の方向制御器の一方は、前記第１の配管に設けられ、前記第２又は前記第１の方向制御器の他方は、前記第２又は前記第３の配管に設けられており、前記第２の配管系は、前記内部熱交換器に接続された第４の配管と、前記第４の配管と前記第２の外部熱交換器とを接続する第５の配管と、前記第２の外部熱交換器と前記内部熱交換器とを接続する第６の配管と、を含み、前記第２の往復ポンプは、前記第４の配管と前記第５の配管との間に接続され、前記第３又は前記第４の方向制御器の一方は、前記第４の配管に設けられ、前記第４又は前記第３の方向制御器の他方は、前記第５又は前記第６の配管に設けられてもよい。
【０００８】
［３］上記発明において、前記第３の方向制御器は、前記流体の流路を、前記双方向状態、又は、前記一方向状態に切り替えるように構成され、前記第４の方向制御器は、前記流体の流路を、前記一方向状態、又は、前記遮断状態に切り替えるように構成されており、前記第１の方向制御器が前記双方向状態を選択し、前記第２の方向制御器が前記遮断状態を選択し、並びに、前記第３及び前記第４の方向制御器が前記一方向状態を選択することで、前記第１の往復ポンプと前記第２の往復ポンプとの間に第１の経路を形成可能であり、前記第１〜前記第４の方向制御器が前記一方向状態を選択することで、前記第１の往復ポンプと前記第２の往復ポンプとの間に第２の経路を形成可能であってもよい。
【０００９】
［４］上記発明において、前記第３及び前記第４の方向制御器は、逆止弁であり、前記第１の方向制御器が前記双方向状態を選択し、且つ、前記第２の方向制御器が前記遮断状態を選択することで、前記第１の往復ポンプと前記第２の往復ポンプとの間に第１の経路を形成可能であり、前記第１及び前記第２の方向制御器が前記一方向状態を選択することで、前記第１の往復ポンプと前記第２の往復ポンプとの間に第２の経路を形成可能であってもよい。
【００１０】
［５］上記発明において、前記第３の方向制御器は、前記流体の流路を、前記双方向状態、又は、前記一方向状態に切り替えるように構成され、前記第４の方向制御器は、前記流体の流路を、前記一方向状態、又は、前記遮断状態に切り替えるように構成されており、前記第１及び前記第３の方向制御器が前記双方向状態を選択し、並びに、前記第２及び前記第４の方向制御器が前記遮断状態を選択することで、前記第１の往復ポンプと前記第２の往復ポンプとの間に第３の経路を形成可能であり、前記第１〜前記第４の方向制御器が前記一方向状態を選択することで、前記第１の往復ポンプと前記第２の往復ポンプとの間に第２の経路を形成可能であってもよい。
【００１１】
［６］上記発明において、前記第１及び前記第３の方向制御器は、第１の逆止弁と、前記第１の逆止弁と直列に接続された第１の開閉弁と、前記第１の逆止弁及び前記第１の開閉弁に並列に接続された第２の開閉弁と、をそれぞれ含み、前記第２及び前記第４の方向制御器は、第２の逆止弁と、前記第２の逆止弁に直列に接続された第３の開閉弁と、をそれぞれ含んでもよい。
【００１２】
［７］上記発明において、前記第１の方向制御器は、第１の逆止弁と、前記第１の逆止弁と直列に接続された第１の開閉弁と、前記第１の逆止弁及び前記第１の開閉弁に並列に接続された第２の開閉弁と、を含み、前記第２の方向制御器は、第２の逆止弁と、前記第２の逆止弁に直列に接続された第３の開閉弁と、を含んでもよい。
【００１３】
［８］上記発明において、前記磁気ヒートポンプ装置は、前記内部熱交換器内の温度を検出する温度センサを備え、前記制御装置は、前記温度センサの検出結果に基づいて、前記内部熱交換器内の温度が所定温度範囲に含まれているか否かを判断し、前記制御装置は、前記内部熱交換器内の温度が所定温度範囲に含まれていない場合に、前記第１の経路を形成するように前記第１〜第４の方向制御器を制御し、前記内部熱交換器内の温度が所定温度範囲に含まれている場合に、前記第２の経路を形成するように前記第１〜第４の方向制御器を制御してもよい。
【００１４】
［９］上記発明において、前記磁気ヒートポンプ装置は、前記内部熱交換器内の温度を検出する温度センサを備え、前記制御装置は、前記温度センサの検出結果に基づいて、前記内部熱交換器内の温度が所定温度範囲に含まれているか否かを判断し、前記制御装置は、前記内部熱交換器内の温度が所定温度範囲に含まれていない場合に、前記第１の経路を形成するように前記第１及び前記第２の方向制御器を制御し、前記内部熱交換器内の温度が所定温度範囲に含まれている場合に、前記第２の経路を形成するように前記第１及び前記第２の方向制御器を制御してもよい。
【００１５】
［１０］上記発明において、前記磁気ヒートポンプ装置は、前記内部熱交換器の一端の温度を検出する第１の温度センサと、前記内部熱交換器の他端の温度を検出する第２の温度センサと、を備え、前記制御装置は、前記第１及び前記第２の温度センサの検出結果に基づいて、前記内部熱交換器の両端の温度差を算出し、前記温度差が所定値以上であるか否かを判断し、前記制御装置は、前記温度差が前記所定値未満である場合に、前記第３の経路を形成するように前記第１〜第４の方向制御器を制御し、前記温度差が前記所定値以上である場合に、前記第２の経路を形成するように前記第１〜第４の方向制御器を制御してもよい。
【発明の効果】
【００１６】
本発明によれば、第１の方向制御器が双方向状態又は一方向状態を切替可能であり、第２の方向制御器が一方向状態又は遮断状態を切替可能であり、第３及び第４の方向制御器が少なくとも流体の流通方向を一方向に制限するように構成されている。これにより、少なくとも第１の配管系に流体の往復流を形成することができるので、短時間で磁気ヒートポンプ装置を定常状態とすることが可能となる。
【図面の簡単な説明】
【００１７】
【図１】図１は、本発明の第１実施形態における磁気ヒートポンプ装置を示す配管回路図である。
【図２】図２は、本発明の第１実施形態における磁気ヒートポンプ装置の制御システムを示すブロック図である。
【図３】図３は、本発明の第１実施形態における磁場印加装置を示す図であり、図１のIII-III線に沿った断面図である。
【図４】図４（ａ）〜図４（ｃ）は、本発明の第１実施形態における磁気ヒートポンプ装置の第１〜第３変形例を示す配管回路図である。
【図５】図５は、本発明の第１実施形態における磁気ヒートポンプ装置の第４変形例を示す配管回路図である。
【図６】図６は、本発明の第１実施形態の第１の起動モードにおける磁気ヒートポンプ装置を示す配管回路図である。
【図７】図７は、本発明の第１実施形態の定常モードにおける磁気ヒートポンプ装置を示す配管回路図である。
【図８】図８は、本発明の第１実施形態の第２の起動モードにおける磁気ヒートポンプ装置を示す配管回路図である。
【図９】図９は、本発明の第１実施形態の第３の起動モードにおける磁気ヒートポンプ装置を示す配管回路図である。
【図１０】図１０（ａ）及び図１０（ｂ）は、本発明の第１実施形態における磁気ヒートポンプ装置の第５変形例を示す配管回路図であり、図１０（ａ）は第１の起動モードを示す図であり、図１０（ｂ）は定常モードを示す図である。
【図１１】図１１（ａ）及び図１１（ｂ）は、本発明の第１実施形態における磁気ヒートポンプ装置の第６変形例を示す配管回路図であり、図１１（ａ）は第２の起動モードを示す図であり、図１１（ｂ）は定常モードを示す図である。
【図１２】図１２は、本発明の第２実施形態における磁気ヒートポンプ装置を示す配管回路図である。
【図１３】図１３（ａ）〜図１３（ｃ）は、本発明の第２実施形態における磁気ヒートポンプ装置の第１〜第３変形例を示す配管回路図である。
【図１４】図１４は、本発明の第２実施形態における磁気ヒートポンプ装置の第４変形例を示す配管回路図である。
【図１５】図１５は、本発明の第２実施形態の第１の起動モードにおける磁気ヒートポンプ装置を示す配管回路図である。
【図１６】図１６は、本発明の第２実施形態の定常モードにおける磁気ヒートポンプ装置を示す配管回路図である
【図１７】図１７は、本発明の第２実施形態の第２の起動モードにおける磁気ヒートポンプ装置を示す配管回路図である。
【図１８】図１８は、本発明の第２実施形態の第３の起動モードにおける磁気ヒートポンプ装置を示す配管回路図である。
【図１９】図１９（ａ）及び図１９（ｂ）は、本発明の第２実施形態における磁気ヒートポンプ装置の第５変形例を示す配管回路図であり、図１９（ａ）は第１の起動モードを示す図であり、図１９（ｂ）は定常モードを示す図である。
【図２０】図２０（ａ）及び図２０（ｂ）は、本発明の第２実施形態における磁気ヒートポンプ装置の第６変形例を示す配管回路図であり、図２０（ａ）は第２の起動モードを示す図であり、図２０（ｂ）は定常モードを示す図である。
【図２１】図２１は、本発明の第３実施形態における磁気ヒートポンプ装置を示す配管回路図である。
【発明を実施するための形態】
【００１８】
以下、本発明の実施形態を図面に基づいて説明する。
【００１９】
<<第１実施形態>>
図１は本発明の第１実施形態における磁気ヒートポンプ装置を示す配管回路図、図２は本発明の第１実施形態における磁気ヒートポンプ装置の制御システムを示すブロック図、図３は本発明の第１実施形態における磁場印加装置の構造を示す図である。
【００２０】
本実施形態における磁気ヒートポンプ装置１は、磁気熱量効果（Magnetocaloric effect）を利用したヒートポンプ装置である。この磁気ヒートポンプ装置１は、図１及び図２に示すように、ＭＣＭ熱交換器１０と、磁場印加装置１５と、低温側配管系２０と、低温側熱交換器３０と、低温側往復ポンプ４０と、高温側配管系５０と、高温側熱交換器６０と、高温側往復ポンプ７０と、温度センサ８１，８２と、制御装置９０と、を備えている。
【００２１】
本実施形態におけるＭＣＭ熱交換器１０が本発明における内部熱交換器の一例に相当し、本実施形態における磁場印加装置１５が本発明における磁場印加装置の一例に相当する。また、本実施形態における低温側配管系２０が本発明における第１の配管系の一例に相当し、本実施形態における低温側熱交換器３０が本発明における第１の外部熱交換器の一例に相当し、本実施形態における低温側往復ポンプ４０が本発明における第１の往復ポンプの一例に相当する。また、本実施形態における高温側配管系５０が本発明における第２の配管系の一例に相当し、本実施形態における高温側熱交換器６０が本発明における第２の外部熱交換器の一例に相当し、本実施形態における高温側往復ポンプ７０が本発明における第２の往復ポンプの一例に相当する。さらに、本実施形態における温度センサ８１，８２が本発明における温度センサの一例に相当し、本実施形態における制御装置９０が本発明における制御装置の一例に相当する。
【００２２】
ＭＣＭ熱交換器１０は、磁気熱量効果を有する磁気熱量効果材料１１（ＭＣＭ：Magnetocaloric Effect Material）と、当該ＭＣＭ１１を収容するケース１２（容器）と、を備えている。ＭＣＭ１１に磁場を印加すると、電子スピンが揃うことで磁気エントロピーが減少し、当該ＭＣＭ１１は発熱して温度が上昇する。一方、ＭＣＭ１１から磁場を除去すると、電子スピンが乱雑となり磁気エントロピーが増加し、当該ＭＣＭ１１は吸熱して温度が低下する。
【００２３】
このＭＣＭ１１は、磁性体であれば特に限定されないが、例えば、１０℃〜３０℃程度の常温域にキュリー温度（キュリー点）を有し、常温域で高い磁気熱量効果を発揮する磁性体であることが好ましい。こうしたＭＣＭの具体例としては、例えば、ガドリニウム（Ｇｄ）、ガドリニウム合金、ランタン−鉄−シリコン（Ｌａ−Ｆｅ−Ｓｉ）系化合物等を例示することができる。
【００２４】
なお、上記のＭＣＭ１１の形状は、特に限定されないが、例えば、線状、メッシュ状、粒状、板状等を例示することができる。複数の線材を相互に撚り合わせて構成した集合体をケースに収容してもよい。或いは、数本の線材を撚り合わせることで個々の撚線を構成し、当該複数の撚線を相互に束ねることで集合体を構成してもよい。
【００２５】
図１に示すように、ケース１２の一端（図１中右側端。後述の低温端）には、第１及び第２のポート（接続口）１０ａ，１０ｂが開口しており、これらのポート１０ａ，１０ｂに、第１の配管系２０の第１及び第３の配管２１，２３（後述）がそれぞれ接続されている。これに対し、ケース１２の他端（図１中左側端。後述の高温端）には、第３及び第４のポート（接続口）１０ｃ，１０ｄが開口しており、これらのポート１０ｃ、１０ｄに、第２の配管系５０の第４及び第６の配管５１，５３（後述）がそれぞれ接続されている。
【００２６】
後述するように、磁気ヒートポンプ装置１がＡＭＲサイクルを繰り返すことで定常状態に至ると、ケース１２内のＭＣＭ１１に所定の温度勾配が形成される。このため、本実施形態では、第１及び第２のポート１０ａ，１０ｂが設けられたＭＣＭ熱交換器１０の一端を「低温端」と称し、第３及び第４のポート１０ｃ，１０ｄが設けられたケース１２の他端を「高温端」と称することもある。
【００２７】
ＭＣＭ熱交換器１０のケース１２の内部には、温度センサ８１，８２が設けられている。第１の温度センサ８１は、ケース１２内の一端側に配置されており、ＭＣＭ熱交換器１０の低温端の温度を検出する。一方、第２の温度センサ８２は、ケース１２内の他端側に配置されており、ＭＣＭ熱交換器１０の高温端の温度を検出する。図２に示すように、第１及び第２の温度センサ８２は、制御装置９０に接続されている。
【００２８】
磁場印加装置１５は、図３に示すように、一対の永久磁石１５１と、当該永久磁石１５１を支持するアクチュエータ１５２と、を備えている。永久磁石１５１は、図１及び図３に示すように、相互に対向して配置されている。アクチュエータ１５２の具体例としては、例えば、エアシリンダ等を例示することができる。
【００２９】
これらの永久磁石１５１は、アクチュエータ１５２によって、ＭＣＭ熱交換器１０を挟む「第１の位置」（図３において破線で示す位置）と、ＭＣＭ熱交換器１０から離脱した（ＭＣＭ熱交換器１０を挟まない）「第２の位置」（図３において実線で示す位置）との間を往復移動することが可能となっている。永久磁石１５１が「第１の位置」に移動するとＭＣＭ熱交換器１０のＭＣＭ１１が励磁されて、当該ＭＣＭ１１が発熱する。これに対し、永久磁石１５１が「第２の位置」に移動するとＭＣＭ熱交換器１０のＭＣＭ１１が消磁されて当該ＭＣＭ１１が吸熱する。図２に示すように、この磁場印加装置１５は、制御装置９０に接続されており、制御装置９０からの指示に基づいてアクチュエータ１５２が駆動するように構成されている。
【００３０】
なお、磁気印加装置１５を、永久磁石１５１及びアクチュエータ１５２に代えて、コイルを有する電磁石で構成してもよい。また、コイルを有する電磁石を用いる場合には、ＭＣＭ１１に対する磁場の印加／除去に代えて、ＭＣＭ１１に印加した磁場の大きさを変更するようにしてもよい。
【００３１】
低温側配管系２０は、図１に示すように、ＭＣＭ熱交換器１０の低温端に接続されており、低温側熱交換器３０は、当該低温側配管系２０を介してＭＣＭ熱交換器１０に接続されている。この低温側配管系２０は、第１〜第３の配管２１〜２３と、第１及び第２の方向制御器２４，２５と、を備えている。本実施形態における第１〜第３の配管２１〜２３が、本発明における第１〜第３の配管の一例にそれぞれ相当し、本発明における第１及び第２の方向制御器２４，２５が本発明における第１及び第２の方向制御器の一例にそれぞれ相当する。
【００３２】
第１の配管２１の一端は、ＭＣＭ熱交換器１０の低温端の第１のポート１０ａに接続されている。この第１の配管２１の他端は第２の配管２２の一端に接続されている。そして、当該第２の配管２２の他端は低温側熱交換器３０の一方のポート３０ａに接続されている。また、第１の配管２１と第２の配管２２との接続点２０ａに低温側往復ポンプ４０が接続されている。低温側往復ポンプ４０は、往復移動可能なピストン４１（ディスプレーサ）を備えており、当該ピストン４１が設けられた内部空間が配管４２を介して接続点２０ａに連通している。すなわち、この低温側往復ポンプ４０は、接続点２０ａから分岐する配管４２を介して第１及び第２の配管２１，２２に接続されている。第３の配管２３の一端は、ＭＣＭ熱交換器１０の一端の第２のポート１０ｂに接続されており、当該第３の配管２３の他端は、低温側熱交換器３０の他方のポート３０ｂに接続されている。
【００３３】
第１の方向制御器２４は、第１の配管２１に設けられている。すなわち、第１の方向制御器２４は、低温側配管系２０において、低温側往復ポンプ４０（接続点２０ａ）を基準として一方の側（ＭＣＭ熱交換器１０の第１のポート１０ａ側）に設けられている。
【００３４】
この第１の方向制御器２４は、第１の逆止弁２４１と、第１の開閉弁２４２と、第２の開閉弁２４３と、を備えている。第１の逆止弁２４１は、流体の流通方向を一方向（図１中左方向）のみに制限する弁である。第１及び第２の開閉弁２４２，２４３は、流体の流通を許容し又は遮断する弁である。第１及び第２の開閉弁２４２，２４３は、特に限定されないが、例えばソレノイドバルブで構成されている。第１の逆止弁２４１と第１の開閉弁２４２とは直列的に接続されている。そして、第２の開閉弁２４３は、第１の逆止弁２４１及び第１の開閉弁２４２に並列的に接続されている。
【００３５】
つまり、この第１の方向制御器２４は、第１の逆止弁２４１、第１の開閉弁２４２、及び第２の開閉弁２４３を組み合わせることで、流体の流路を「双方向状態」又は「一方向状態」に切り替えることが可能となっている。なお、「双方向状態」とは、流体が双方向に流通可能な状態であり、「一方向状態」とは、流体の流通方向を一方向のみに制限する状態である。
【００３６】
図２に示すように、第１及び第２の開閉弁２４２，２４３は、制御装置９０に接続されており、制御装置９０からの指示に基づいて開閉動作するようになっている。本実施形態では、第１の開閉弁２４２が常時開形（ノーマル・オープン形）であるのに対し、第２の開閉弁は２４３が常時閉形（ノーマル・クローズ形）であるが、特にこれに限定されない。
【００３７】
一方、第２の方向制御器２５は、第３の配管２３に設けられている。すなわち、第２の方向制御器２５は、低温側配管系２０において、低温側往復ポンプ４０（接続点２０ａ）を基準として他方の側（ＭＣＭ熱交換器１０の第２のポート１０ｂ側）に設けられている。
【００３８】
この第２の方向制御器２５は、第２の逆止弁２５１と、第３の開閉弁２５２と、を備えている。第２の逆止弁２５１は、流体の流通方向を一方向（図１中右方向）のみに制限する弁である。第３の開閉弁２５２は、流体の流通を許容し又は遮断する弁である。第３の開閉弁２５２は、特に限定されないが、例えばソレノイドバルブで構成されている。第２の逆止弁２５１と第３の開閉弁２５２とは直列的に接続されている。
【００３９】
つまり、この第２の方向制御器２５は、第２の逆止弁２５１と第３の開閉弁２５２を組み合わせることで、流体の流路を「一方向状態」又は「遮断状態」に切り替えることが可能となっている。なお、「一方向状態」とは、上述のように、流体の流通方向を一方向のみに制限する状態であり、「遮断状態」とは、流体の流通を遮断する状態である。
【００４０】
図２に示すように、第３の開閉弁２５２は、制御装置９０に接続されており、制御装置９０からの指示に基づいて開閉動作するようになっている。本実施形態では、第３の開閉弁２５２が常時開形（ノーマル・オープン形）であるが、特にこれに限定されない。
【００４１】
高温側配管系５０は、図１に示すように、ＭＣＭ熱交換器１０の高温端に接続されており、高温側熱交換器６０は、当該高温側配管系５０を介してＭＣＭ熱交換器１０に接続されている。この高温側配管系５０は、第４〜第６の配管５１〜５３と、第３及び第４の方向制御器５４，５５と、を備えている。本実施形態における第４〜第６の配管５１〜５３が、本発明における第４〜第６の配管の一例に相当し、本発明における第３及び第４の方向制御器５４，５５が本発明における第３及び第４の方向制御器の一例にそれぞれ相当する。
【００４２】
第４の配管５１の一端は、ＭＣＭ熱交換器１０の高温端の第３のポート１０ｃに接続されている。この第４の配管５１の他端は第５の配管５２の一端に接続されている。そして、当該第５の配管５２の他端は高温側熱交換器６０の一方のポート６０ａに接続されている。また、第４の配管５１と第５の配管５２との接続点５０ａに、高温側往復ポンプ７０が接続されている。高温側往復ポンプ７０は、往復移動可能なピストン７１（ディスプレーサ）を備えており、当該ピストン７１が設けられた内部空間が配管７２を介して接続点５０ａに連通している。すなわち、この高温側往復ポンプ７０は、接続点５０ａから分岐する配管７２を介して第４及び第５の配管５１，５２に接続されている。第６の配管５３の一端は、ＭＣＭ熱交換器１０の他端の第４のポート１０ｄに接続されており、当該第６の配管５３の他端は、高温側熱交換器６０の他方のポート６０ｂに接続されている。
【００４３】
第３の方向制御器５４は、第４の配管５１に設けられている。すなわち、この第３の方向制御器５４は、高温側配管系５０において、高温側往復ポンプ７０（接続点５０ａ）を基準として一方の側（ＭＣＭ熱交換器１０の第３のポート１０ｃ側）に設けられている。
【００４４】
この第３の方向制御器５４は、第１の逆止弁５４１と、第１の開閉弁５４２と、第２の開閉弁５４３と、を備えている。第１の逆止弁５４１は、流体の流通方向を一方向（図１中右方向）のみに制限する弁である。第１及び第２の開閉弁５４２，５４３は、流体の流通を許容し又は遮断する弁である。第１及び第２の開閉弁５４２，５４３は、特に限定されないが、例えばソレノイドバルブで構成されている。第１の逆止弁５４１と第１の開閉弁５４２とは直列的に接続されている。そして、第２の開閉弁５４３は、第１の逆止弁５４１及び第１の開閉弁５４２に並列的に接続されている。
【００４５】
つまり、この第３の方向制御器５４は、第３の逆止弁５４１、第４の開閉弁５４２、及び第５の開閉弁５４３を組み合わせることで、流体の流路を「双方向状態」又は「一方向状態」に切り替えることが可能となっている。なお、上述のように、「双方向状態」とは、流体が双方向に流通可能な状態であり、「一方向状態」とは、流体の流通方向を一方向のみに制限する状態である。
【００４６】
図２に示すように、第１及び第２の開閉弁５４２，５４３は、制御装置９０に接続されており、制御装置９０からの指示に基づいて開閉動作するようになっている。本実施形態では、第１の開閉弁５４２が常時開形（ノーマル・オープン形）であるのに対し、第２の開閉弁は５４３が常時閉形（ノーマル・クローズ形）であるが、特にこれに限定されない。
【００４７】
一方、第４の方向制御器５５は、第６の配管５３に設けられている。すなわち、この第４の方向制御器５５は、高温側配管系５０において、高温側往復ポンプ７０（接続点５０ａ）を基準として他方の側（ＭＣＭ熱交換器１０の第４のポート１０ｄ側）に設けられている。
【００４８】
この第４の方向制御器５５は、第２の逆止弁５５１と、第３の開閉弁５５２と、を備えている。第２の逆止弁５５１は、流体の流通方向を一方向（図１中左方向）のみに制限する弁である。第３の開閉弁５５２は、流体の流通を許容し又は遮断する弁である。第３の開閉弁５５２は、特に限定されないが、例えばソレノイドバルブで構成されている。第２の逆止弁５５１と第３の開閉弁５５２とは直列的に接続されている。
【００４９】
つまり、この第４の方向制御器５５は、第２の逆止弁５５１と第３の開閉弁５５２を組み合わせることで、流体の流路を、「一方向状態」又は「遮断状態」に切り替えることが可能となっている。なお、上述のように、「一方向状態」とは、流体の流通方向を一方向のみに制限する状態であり、「遮断状態」とは、流体の流通を遮断する状態である。
【００５０】
図２に示すように、第３の開閉弁５５２は、制御装置９０に接続されており、制御装置９０からの指示に基づいて開閉動作するようになっている。本実施形態では、第３の開閉弁５５２が常時開形（ノーマル・オープン形）であるが、特にこれに限定されない。
【００５１】
なお、磁気ヒートポンプ装置の配管回路構成は、図１に示すものに限定されない。図４（ａ）〜図５は、本発明の第１実施形態における磁気ヒートポンプ装置の第１〜第４変形例を示す配管回路図である。
【００５２】
図１に示す例では、第２の方向制御器２５が第３の配管２３に設けられていたが、図４（ａ）に示すように、第２の方向制御器２５を第２の配管２２に設けてもよい。或いは、図１に示す例では、第４の方向制御器５５が第６の配管５３に設けられていたが、図４（ｂ）に示すように、第４の方向制御器５５を第５の配管５２に設けてもよい。或いは、図４（ｃ）に示すように、第２及び第４の方向制御器２５，５５を第２及び第５の配管２２、５２にそれぞれ設けてもよい。
【００５３】
また、図１に示す例では、第１及び第３の方向制御器２４，５４を３つの弁を用いてそれぞれ構成すると共に、第２及び第４の方向制御器２５，５５を２つの弁を用いてそれぞれ構成したが、第１〜第４の方向制御器の構成は、特にこれに限定されない。図５に示すように、第１及び第３の方向制御器を、流体の流路を「双方向状態」又は「一方向状態」に切り替える機能を有する一つの方向制御弁で実現してもよい。また、第２及び第４の方向制御器を、流体の流路を「一方向状態」又は「遮断状態」に切り替える機能を有する一つの方向制御弁で実現してもよい。
【００５４】
制御装置９０は、例えば、ＣＰＵ、ＲＯＭ、ＲＡＭ、Ａ／Ｄ変換器、及び入出力インタフェースなどを含んで構成されるマイクロコンピュータから構成されている。この制御装置９０は、図２に示すように、磁場印加装置１５と往復ポンプ４０，７０に接続されており、これらを連動させるように制御する。具体的には、永久磁石１５１が上述の「第１の位置」に移動してＭＣＭ１１が励磁された際には、低温側往復ポンプ４０が液体冷媒を押し出すと共に、高温側往復ポンプ７０が液体冷媒を引き込むように制御する。これに対し、永久磁石１５１が上述の「第２の位置」に移動してＭＣＭ１１が消磁された際には、高温側往復ポンプ７０が液体冷媒を押し出すと共に、低温側往復ポンプ４０が液体冷媒を引き込むように制御する。
【００５５】
また、制御装置９０は、上述のように第１及び第２の温度センサ８１，８２に接続されており、これらの温度センサ８１，８２からＭＣＭ熱交換器１０内の温度を取得することが可能となっている。そして、制御装置９０は、当該温度センサ８１，８２の検出結果に基づいて、ＭＣＭ熱交換器１０内の温度が所定温度範囲に含まれているか否かを判断することが可能となっている。なお、制御装置９０は、当該温度センサ８１，８２の検出結果に基づいて、ＭＣＭ熱交換器１０の高温端と低温端との温度差を算出し、この温度差が所定値以上であるか否かを判断することが可能となっていてもよい。
【００５６】
さらに、この制御装置９０は、上述のように、第１〜第４の方向制御器２４，２５，５４，５５に接続されている。そして、制御装置９０は、上述の判断結果に基づいて、これらの方向制御器２４，２５，５４，５５の開閉弁２４２，２４３，２５２，５４２，５４３，５５２の開閉を制御することが可能となっている。
【００５７】
図１に戻り、例えば、本実施形態における磁気ヒートポンプ装置１を用いた空気調和装置を冷房として機能させる場合には、低温側熱交換器３０と室内の空気との間で熱交換を行うことで室内を冷やすと共に、高温側熱交換器６０と室外との間で熱交換を行うことで室外に放熱する。
【００５８】
これに対し、当該空気調和装置を暖房として機能させる場合には、高温側熱交換器６０と室内の空気との間で熱交換を行うことで室内を暖めると共に、低温側熱交換器３０と室外の空気との間で熱交換を行うことで室外から吸熱する。
【００５９】
以上に説明した熱交換器１０，３０，６０及び配管系２０，５０内を、往復ポンプ４０，７０によって液体媒体が圧送される。液体媒体の具体例としては、例えば、水、不凍液、エタノール溶液、または、これらの混合物等の液体を例示することができる。本実施形態における液体媒体が、本発明における流体の一例に相当する。
【００６０】
次に、本実施形態における磁気ヒートポンプ装置１の動作について、図６〜図９を参照しながら説明する。
【００６１】
図６及び図７は本発明の第１実施形態の第１の起動モード及び定常モードにおける磁気ヒートポンプ装置をそれぞれ示す配管回路図である。また、図８は本発明の第１実施形態の第２の起動モードにおける磁気ヒートポンプ装置を示す配管回路図である。さらに、図９は本発明の第１実施形態の第３の起動モードにおける磁気ヒートポンプ装置を示す配管回路図である。
【００６２】
本実施形態の磁気ヒートポンプ装置１は、以下に説明する第１の起動モードと定常モードとを切り替えて運転することが可能となっている。磁気ヒートポンプ装置１の起動時（定常状態に至る前）に第１の起動モードを実行することで、最適動作温度範囲よりも高いＭＣＭ熱交換器１０内の全体の温度を効率的に下げて、磁気ヒートポンプ装置１の立上時間の短縮を図ることが可能となっている。
【００６３】
具体的には、先ず、制御装置９０が、（１）ＭＣＭ熱交換器１０内の温度Ｔ０が所定温度範囲Ｒ１に含まれるか否か、及び、（２）ＭＣＭ熱交換器１０内の温度Ｔ０が所定温度範囲Ｒ１の上限値よりも高いか否か、を判断する。ＭＣＭ熱交換器１０内の温度Ｔ０は、第１及び第２の温度センサ８１，８２の検出値の少なくとも一方に基づいて算出される。特に限定されないが、具体的には、第１及び第２の温度センサ８１，８２の検出値の平均値を、ＭＣＭ熱交換器１０内の温度Ｔ０として算出する。所定温度範囲Ｒ１としては、特に限定されないが、キュリー点を含むＭＣＭ１１の最適動作温度範囲である。なお、上記の条件（２）に代えて、制御装置９０が、（３）ＭＣＭ熱交換器１０内の温度Ｔ０が所定温度範囲Ｒ１の下限値よりも低いか否か、を判断してもよい。
【００６４】
例えば、外気温（例えば３５℃）によってＭＣＭ熱交換器１０内の温度Ｔ０がＭＣＭ１１の最適動作温度（例えば２０℃）よりも高くなっていることで、（１）ＭＣＭ熱交換器１０内の温度Ｔ０が所定温度範囲Ｒ１に含まれず、且つ、（２）ＭＣＭ熱交換器１０内の温度Ｔ０が所定温度範囲Ｒ１の上限値よりも高い場合には、制御装置９０は、第１〜第４の方向制御器２４，２５，５４，５５を次のように切り替える。
【００６５】
すなわち、この第１の起動モードでは、図６に示すように、第１の開閉弁２４２を閉じると共に第２の開閉弁２４３を開くことで、第１の方向制御器２４を「双方向状態」とする。また、第３の開閉弁２５２を閉じることで、第２の方向制御器２５を「遮断状態」とする。また、第１の開閉弁５４２と開くと共に第２の開閉弁５４３を閉じることで、第３の方向制御器５４を「一方向状態」とする。さらに、第３の開閉弁５５２を開くことで、第４の方向制御器５５を「一方向状態」とする。これにより、第１の往復ポンプ４０と第２の往復ポンプ７０の間に、第１の経路（図６において実線及び破線の太矢印）が形成される。
【００６６】
そして、この第１の経路が形成された状態で、制御装置９０の指示に基づいて、磁気印加装置１５がＭＣＭ１１を着磁すると共に、第１の往復ポンプ４０が液体媒体を押し出すのに対し、第２の往復ポンプ７０が液体媒体を引き込むことで、図６中の実線で示す経路が形成される。次いで、磁気印加装置１５がＭＣＭ１１を消磁すると共に、第１往復ポンプ４０が液体媒体を引き込むのに対し、第２の往復ポンプ７０が液体媒体を押し出すことで、図６中の破線で示す経路が形成される。こうした磁気印加装置１５による着磁／消磁及びポンプ４０，７０の往復動作を繰り返すことで、磁気熱量効果によってＭＣＭ１１の発熱と吸熱が繰り返されると共に、液体媒体が磁気ヒートポンプ装置１内を移動する。
【００６７】
この際、ＭＣＭ熱交換器１０の低温端と低温側往復ポンプ４０との間には、第１及び第２の方向制御器２４，２５によって、第１の配管２１のみを経由する液体媒体の「往復流」が形成される。これに対し、ＭＣＭ熱交換器１０の高温端と高温側往復ポンプ７０との間には、第３及び第４の方向制御器５４，５５によって、高温側熱交換器６０を含む第４〜第６の配管５１〜５３を経由する液体媒体の「循環流」が形成される。このため、ＭＣＭ１１の吸熱作用を利用して当該ＭＣＭ１１自体を冷却しつつ、ＭＣＭ１１の発熱は高温側熱交換器６０を介して外部に排出することで、ＭＣＭ熱交換器１０内を冷やして当該ＭＣＭ熱交換器１０内の温度Ｔ０を最適動作温度範囲Ｒ１に近づけることができる。
【００６８】
こうした第１の起動モード（図６参照）で磁気ヒートポンプ装置１を運転し、ＭＣＭ熱交換器１０内の温度Ｔ０が所定温度範囲Ｒ１に含まれるようになったら、制御装置９０は、図７に示すような定常モードでの運転に切り替える。具体的には、図７に示すように、第１の開閉弁２４２を開くと共に第２の開閉弁２４３を閉じることで、第１の方向制御器２４を「一方向状態」とする。また、第３の開閉弁２５２を開くことで、第２の方向制御器２５を「一方向状態」とする。第３及び第４の方向制御器５４は「一方向状態」のままにしておく。これにより、第１の往復ポンプ４０と第２の往復ポンプ７０の間に、第２の経路（図７において実線及び破線の太矢印）が形成される。
【００６９】
この切替動作により、ＭＣＭ熱交換器１０の低温端と低温側往復ポンプ４０との間には、第１及び第２の方向制御器２４，２５によって、低温側熱交換器３０を含む第１〜第３の配管２１〜２３を経由する液体媒体の「循環流」が形成される。また、ＭＣＭ熱交換器の高温端と高温側往復ポンプ７０との間にも、第３及び第４の方向制御器５４，５５によって、高温側熱交換器６０を含む第４〜第６の配管５１〜５３を経由する液体媒体の「循環流」が形成される。このため、ＭＣＭ１１の吸熱作用により低温側熱交換器３０が冷却されると共に、ＭＣＭ１１の発熱作用により高温側熱交換器６０が加熱される。
【００７０】
なお、本実施形態における磁気ヒートポンプ装置１は、図８に示す第２の起動モードを実行することが可能となっていてもよい。磁気ヒートポンプ装置１の起動時（定常状態に至る前）に第２の起動モードを実行することで、最適動作温度範囲Ｒ１よりも低いＭＣＭ熱交換器１０内の温度Ｔ０を効率的に上げて、磁気ヒートポンプ装置１の立上時間の短縮を図ることができる。
【００７１】
具体的には、外気温（例えば２０℃）によってＭＣＭ熱交換器１０内の温度Ｔ０がＭＣＭ１１の最適動作温度（例えば４０℃）に対して低くなっていることで、（１）ＭＣＭ熱交換器１０内の温度Ｔ０が所定温度範囲Ｒ１に含まれず、且つ、（２）ＭＣＭ熱交換器１０内の温度Ｔ０が所定温度範囲Ｒ１の上限値よりも高くない場合には、制御装置９０は、第１〜第４の方向制御器２４，２５，５４，５５を次のように切り替えてもよい。
【００７２】
すなわち、この第２の起動モードでは、図８に示すように、第１の開閉弁２４２を開くと共に第２の開閉弁２４３を閉じることで、第１の方向制御器２４を「一方向状態」とする。また、第３の開閉弁２５２を開くことで、第２の方向制御器２５を「一方向状態」とする。また、第１の開閉弁５４２と閉じると共に第２の開閉弁５４３を開くことで、第３の方向制御器５４を「双方向状態」とする。さらに、第３の開閉弁５５２を閉じることで、第４の方向制御器５５を「遮断状態」とする。これにより、第１の往復ポンプ４０と第２の往復ポンプ７０の間に、第１の経路（図８において実線及び破線の太矢印）が形成される。
【００７３】
そして、この第１の経路が形成された状態で、制御装置９０の指示に基づいて、磁気印加装置１５による着磁／消磁及びポンプ４０，７０の往復動作を繰り返すことで、磁気熱量効果によってＭＣＭ１１の発熱と吸熱が繰り返されると共に、液体媒体が磁気ヒートポンプ装置１内を移動する。
【００７４】
この際、ＭＣＭ熱交換器１０の低温端と低温側往復ポンプ４０との間には、第１及び第２の方向制御器２４，２５によって、低温側熱交換器３０を含む第１〜第３の配管２１〜２３を経由する液体媒体の「循環流」が形成される。これに対し、ＭＣＭ熱交換器１０の高温端と高温側往復ポンプ７０との間には、第３及び第４の方向制御器５４，５５によって、第４の配管５１のみを経由する液体媒体の「往復流」が形成される。このため、ＭＣＭ１１の発熱作用を利用して当該ＭＣＭ１１自体を加熱しつつ、ＭＣＭ１１の吸熱は低温側熱交換器３０を介して外部に排出することで、ＭＣＭ熱交換器１０内を暖めて当該ＭＣＭ熱交換器１０内の温度Ｔ０を最適動作温度範囲Ｒ１に近づけることができる。そして、この第２の起動モードによりＭＣＭ熱交換器１０全体が加熱されたら、上述の定常モードに移行する。
【００７５】
なお、この図８に示す第２の起動モードにおいては、第３の方向制御器５４が本発明における第１の方向制御器の一例に相当し、第４の方向制御器５５が本発明における第２の方向制御器の一例に相当し、第１の方向制御器２４が本発明における第３の方向制御器の一例に相当し、第２の方向制御器２５が本発明における第４の方向制御器の一例に相当する。
【００７６】
さらに、本実施形態における磁気ヒートポンプ装置１は、図９に示す第３の起動モードを実行することが可能となっていてもよい。磁気ヒートポンプ装置１の起動時（定常状態に至る前）にこの第３の起動モードを実行することで、ＭＣＭ熱交換器１０内に温度勾配を適切に形成して、磁気ヒートポンプ装置１の立上時間の短縮を図ることができる。
【００７７】
具体的には、先ず、制御装置９０が、ＭＣＭ熱交換器１０内の温度差ΔＴ１を算出し、この温度差ΔＴ１を所定値Ｋ１と比較する。ＭＣＭ熱交換器１０内の温度差ΔＴ１は、特に限定されないが、第１の温度センサ８１の検出値と第２の温度センサ８２の検出値の差である。所定値Ｋ１としては、特に限定されないが、定常状態におけるＭＣＭ１１の温度スパンである。
【００７８】
そして、温度差ΔＴ１が所定値Ｋ１未満である場合（ΔＴ１＜Ｋ１）には、ＭＣＭ１１の温度勾配がまだ十分に形成されていないため、制御装置９０は、第１〜第４の方向制御器２４，２５，５４，５５を次のように切り替えてもよい。
【００７９】
すなわち、この第３の起動モードでは、図９に示すように、第１の開閉弁２４２を閉じると共に第２の開閉弁２４３を開くことで、第１の方向制御器２４を「双方向状態」とする。また、第３の開閉弁２５２を閉じることで、第２の方向制御器２５を「遮断状態」とする。第１の開閉弁５４２と閉じると共に第２の開閉弁５４３を開くことで、第３の方向制御器５４を「双方向状態」とする。さらに、第３の開閉弁５５２を閉じることで、第４の方向制御器５５を「遮断状態」とする。これにより、第１の往復ポンプ４０と第２の往復ポンプ７０の間に、第３の経路（図９において実線及び破線の太矢印）が形成される。
【００８０】
そして、この第３の経路が形成された状態で、制御装置９０の指示に基づいて、磁気印加装置１５による着磁／消磁及びポンプ４０，７０の往復動作を繰り返すことで、磁気熱量効果によってＭＣＭ１１の発熱と吸熱が繰り返されると共に、液体媒体が磁気ヒートポンプ装置１内を移動する。
【００８１】
この際、ＭＣＭ熱交換器１０の低温端と低温側往復ポンプ４０との間には、第１及び第２の方向制御器２４，２５によって、第１の配管２１のみを経由する液体媒体の「往復流」が形成される。また、ＭＣＭ熱交換器の高温端と高温側往復ポンプ７０との間にも、第３及び第４の方向制御器５４，５５によって、第４の配管５１のみを経由する液体媒体の「往復流」が形成される。このため、ＭＣＭ１１の吸熱及び発熱作用を利用して当該ＭＣＭ１１自体の低温端を冷却すると共に当該ＭＣＭ１１自体の高温端を加熱することができるので、ＭＣＭ１１に温度勾配を効率的に発生させることができる。この第３の起動モードによって、ＭＣＭ１１に十分な温度勾配が形成され、温度差ΔＴ１が所定値Ｋ１以上となったら（ΔＴ１≧Ｋ１）、上述の定常モードに移行する。
【００８２】
この第３の起動モードのタイミングは、磁気ヒートポンプ装置１の始動直後のみに限定されない。例えば、上述の第１又は第２の起動モードを実行してＭＣＭ熱交換器１０内の全体温度を最適動作温度範囲に近づけてから、この第３の起動モードを実行してもよい。
【００８３】
以上のように、本実施形態では、第１及び第３の方向制御器２４，５４が「双方向状態」又は「一方向状態」を切替可能であり、第２及び第４の方向制御器２５，５５が「一方向状態」又は「遮断状態」を切替可能である。これにより、第１又は第２の配管系２０，５０の少なくとも一方に液体冷媒の「往復流」を形成することができるので、短時間で磁気ヒートポンプ装置１を定常状態とすることが可能となる。
【００８４】
なお、磁気ヒートポンプ装置が、上述の第２及び第３の起動モードを実行しない場合には、図１０（ａ）及び図１０（ｂ）に示すように、第３及び第４の方向制御器５４，５５の構成を簡素化してもよい。図１０（ａ）及び図１０（ｂ）は、本発明の第１実施形態における磁気ヒートポンプ装置の第５変形例を示す配管回路図であり、図１０（ａ）は第１の起動モードを示す図であり、図１０（ｂ）は定常モードを示す図である。
【００８５】
すなわち、図１０（ａ）及び図１０（ｂ）に示すように、第３の方向制御器５４を第１の逆止弁５４１のみで構成すると共に、第４の方向制御器５５を第２の逆止弁５５１のみで構成してもよい。この場合には、制御装置９０は、（１）ＭＣＭ熱交換器１０内の温度Ｔ０が所定温度範囲Ｒ１に含まれるか否かのみを判断すればよい。なお、特に図示しないが、第３又は第４の方向制御器５４，５５の一方を逆止弁のみで構成し、第４又は第３の方向制御器５５，５４の他方については構成を簡素化しなくてもよい。
【００８６】
以上のように、図１０（ａ）及び図１０（ｂ）に示す変形例では、第１の方向制御器２４が「双方向状態」又は「一方向状態」を切替可能であり、第２の方向制御器２５が「一方向状態」又は「遮断状態」を切替可能であり、第３及び第４の方向制御器５４，５５が流体の流通方向を一方向に制限するように構成されている。これにより、第１の配管系２０に液体冷媒の「往復流」を形成することができるので、短時間で磁気ヒートポンプ装置１を定常状態とすることが可能となる。
【００８７】
或いは、磁気ヒートポンプ装置が、上述の第１及び第３の起動モードを実行しない場合には、図１１（ａ）及び図１１（ｂ）に示すように、第１及び第２の方向制御器２４，２５の構成を簡素化してもよい。図１１（ａ）及び図１１（ｂ）は、本発明の第１実施形態における磁気ヒートポンプ装置の第６変形例を示す配管回路図であり、図１１（ａ）は第２の起動モードを示す図であり、図１１（ｂ）は定常モードを示す図である。
【００８８】
すなわち、図１１（ａ）及び図１１（ｂ）に示すように、第１の方向制御器２４を第１の逆止弁２４１のみで構成すると共に、第２の方向制御器２５も第２の逆止弁２５１のみで構成してもよい。この場合にも、制御装置９０は、（１）ＭＣＭ熱交換器１０内の温度Ｔ０が所定温度範囲Ｒ１に含まれるか否かのみを判断すればよい。なお、特に図示しないが、第１又は第２の方向制御器２４，２５の一方を逆止弁のみで構成し、第２又は第１の方向制御器２５，２４の他方については構成を簡素化しなくてもよい。
【００８９】
なお、上述の図８に示す例と同様に、この図１１（ａ）及び図１１（ｂ）に示す例においては、第３の方向制御器５４が本発明における第１の方向制御器の一例に相当し、第４の方向制御器５５が本発明における第２の方向制御器の一例に相当し、第１の方向制御器２４が本発明における第３の方向制御器の一例に相当し、第２の方向制御器２５が本発明における第４の方向制御器の一例に相当する。
【００９０】
以上のように、図１１（ａ）及び図１１（ｂ）に示す変形例では、第３の方向制御器５４が「双方向状態」又は「一方向状態」を切替可能であり、第４の方向制御器５５が「一方向状態」又は「遮断状態」を切替可能であり、第１及び第２の方向制御器２４，２５が流体の流通方向を一方向に制限するように構成されている。これにより，第２の配管系５０に液体冷媒の「往復流」を形成することができるので、短時間で磁気ヒートポンプ装置１を定常状態とすることが可能となる。
【００９１】
<<第２実施形態>>
図１２は本発明の第２実施形態における磁気ヒートポンプ装置を示す配管回路図である。本実施形態では、第１〜第４の方向制御器の設置位置が第１実施形態と相違するが、それ以外の構成は第１実施形態と同様である。以下に第２実施形態における磁気ヒートポンプ装置について、第１実施形態との相違点についてのみ説明し、第１実施形態と同様の構成である部分については同一の符号を付して説明を省略する。
【００９２】
図１２に示すように、本実施形態における磁気ヒートポンプ装置１Ｂでは、第１の方向制御器２４Ｂが第３の配管２３に設けられ、第２の方向制御器２５Ｂが第１の配管２１に設けられている。なお、本実施形態では、第１の方向制御器２４Ｂの第１の逆止弁２４１Ｂによって、流体の流通方向が図１２中右方向に制限されると共に、第２の方向制御器２５Ｂの第２の逆止弁２５１によって、流体の流通方向が図１２中左方向に制限される。
【００９３】
同様に、第３の方向制御器５４Ｂが第６の配管５３に設けられ、第４の方向制御器５５Ｂが第４の配管５１に設けられている。なお、本実施形態では、第３の方向制御器５４Ｂの第１の逆止弁５４１Ｂにより流体の流通方向が図１２中左方向に制限されると共に、第４の方向制御器５５Ｂの第２の逆止弁５５１により流体の流通方向が図１２中右方向に制限される。
【００９４】
なお、磁気ヒートポンプ装置の配管回路構成は、図１２に示すものに限定されない。図１３（ａ）〜図１４は、本発明の第２実施形態における磁気ヒートポンプ装置の第１〜第４変形例を示す配管回路図である。
【００９５】
図１２に示す例では、第１の方向制御器２４Ｂが第３の配管２３に設けられていたが、図１３（ａ）に示すように、第１の方向制御器２４Ｂを第２の配管２２に設けてもよい。或いは、図１２に示す例では、第３の方向制御器５４Ｂが第６の配管５３に設けられていたが、図１３（ｂ）に示すように、第３の方向制御器５４Ｂを第５の配管５２に設けてもよい。或いは、図１３（ｃ）に示すように、第１及び第３の方向制御器２４Ｂ，５４Ｂを第２及び第５の配管２２、５２にそれぞれ設けてもよい。
【００９６】
また、図１２に示す例では、第１及び第３の方向制御器２４，５４を３つの弁を用いてそれぞれ構成すると共に、第２及び第４の方向制御器２５，５５を２つの弁を用いてそれぞれ構成したが、第１〜第４の方向制御器の構成は、特にこれに限定されない。図１４に示すように、第１及び第３の方向制御器を、流体の流路を「双方向状態」又は「一方向状態」に切り替える機能を有する一つの方向制御弁で実現してもよいし、第２及び第４の方向制御器を、流体の流路を「一方向状態」又は「遮断状態」に切り替える機能を有する一つの方向制御弁で実現してもよい。
【００９７】
次に、本実施形態における磁気ヒートポンプ装置１Ｂの動作について、図１５〜図１９を参照しながら説明する。
【００９８】
図１５及び図１６は本発明の第２実施形態の第１の起動モード及び定常モードにおける磁気ヒートポンプ装置をそれぞれ示す配管回路図である。また、図１７は本発明の第２実施形態の第２の起動モードにおける磁気ヒートポンプ装置を示す配管回路図である。さらに、図１８は本発明の第２実施形態の第３の起動モードにおける磁気ヒートポンプ装置を示す配管回路図である。
【００９９】
本実施形態の磁気ヒートポンプ装置１Ｂは、第１実施形態と同様に、以下に説明する第１の起動モードと定常モードとを切り替えて運転することが可能となっている。磁気ヒートポンプ装置１Ｂの起動時（定常状態に至る前）に第１の起動モードを実行することで、最適動作温度範囲よりも高いＭＣＭ熱交換器１０内の全体の温度を効率的に下げて、磁気ヒートポンプ装置１Ｂの立上時間の短縮を図ることができる。
【０１００】
具体的には、先ず、制御装置９０が、（１）ＭＣＭ熱交換器１０内の温度Ｔ０が所定温度範囲Ｒ１に含まれるか否か、及び、（２）ＭＣＭ熱交換器１０内の温度Ｔ０が所定温度範囲Ｒ１の上限値よりも高いか否か、を判断する。
【０１０１】
（１）ＭＣＭ熱交換器１０内の温度Ｔ０が所定温度範囲Ｒ１に含まれず、且つ、（２）ＭＣＭ熱交換器１０内の温度Ｔ０が所定温度範囲Ｒ１の上限値よりも高い場合には、制御装置９０は、図１５に示すように、第１の開閉弁２４２を閉じると共に第２の開閉弁２４３を開くことで、第１の方向制御器２４Ｂを「双方向状態」とする。また、第３の開閉弁２５２を閉じることで、第２の方向制御器２５Ｂを「遮断状態」とする。また、第１の開閉弁５４２と開くと共に第２の開閉弁５４３を閉じることで、第３の方向制御器５４Ｂを「一方向状態」とする。さらに、第３の開閉弁５５２を開くことで、第４の方向制御器５５Ｂを「一方向状態」とする。これにより、第１の往復ポンプ４０と第２の往復ポンプ７０の間に、第１の経路（図１５において実線及び破線の太矢印）が形成される。
【０１０２】
そして、この第１の経路が形成された状態で、制御装置９０の指示に基づいて、磁気印加装置１５による着磁／消磁及びポンプ４０，７０の往復動作を繰り返すことで、磁気熱量効果によってＭＣＭ１１の発熱と吸熱が繰り返されると共に、液体媒体が磁気ヒートポンプ装置１Ｂ内を移動する。
【０１０３】
この際、ＭＣＭ熱交換器１０の低温端と低温側往復ポンプ４０との間には、第１及び第２の方向制御器２４Ｂ，２５Ｂによって、第２の配管２２、低温側熱交換器３０、及び第３の配管２３を経由する液体冷媒の「往復流」が形成される。これに対し、ＭＣＭ熱交換器１０の高温端と高温側往復ポンプ７０との間には、第３及び第４の方向制御器５４Ｂ，５５Ｂによって、高温側熱交換器６０を含む第４〜第６の配管５１〜５３を経由する液体冷媒の「循環流」が形成される。このため、ＭＣＭ１１の吸熱作用を利用して当該ＭＣＭ１１自体を冷却しつつ、ＭＣＭ１１の発熱は高温側熱交換器６０を介して外部に排出することで、ＭＣＭ熱交換器１０内を冷やして当該ＭＣＭ熱交換器１０内の温度Ｔ０を最適動作温度範囲Ｒ１に近づけることができる。
【０１０４】
こうした第１の起動モード（図１５参照）で磁気ヒートポンプ装置１を運転し、ＭＣＭ熱交換器１０内の温度Ｔ０が所定温度範囲Ｒ１に含まれるようになったら、制御装置９０は、図１６に示すような定常モードでの運転に切り替える。具体的には、図１６に示すように、第１の開閉弁２４２を開くと共に第２の開閉弁２４３を閉じることで、第１の方向制御器２４Ｂを「一方向状態」とする。また、第３の開閉弁２５２を開くことで、第２の方向制御器２５Ｂを「一方向状態」とする。第３及び第４の方向制御器５４Ｂは「一方向状態」のままにしておく。これにより、第１の往復ポンプ４０と第２の往復ポンプ７０の間に、第２の経路（図１６において実線及び破線の太矢印）が形成される。
【０１０５】
この切替動作により、ＭＣＭ熱交換器１０の低温端と低温側往復ポンプ４０との間には、第１及び第２の方向制御器２４Ｂ，２５Ｂによって、低温側熱交換器３０を含む第１〜第３の配管２１〜２３を経由する液体冷媒の「循環流」が形成される。また、ＭＣＭ熱交換器１０の高温端と高温側往復ポンプ７０との間にも、第３及び第４の方向制御器５４Ｂ，５５Ｂによって、高温側熱交換器６０を含む第４〜第６の配管５１〜５３を経由する液体冷媒の「循環流」が形成される。このため、ＭＣＭ１１の吸熱作用により低温側熱交換器３０が冷却されると共に、ＭＣＭ１１の発熱作用により高温側熱交換器６０が加熱される。
【０１０６】
なお、本実施形態における磁気ヒートポンプ装置１Ｂは、図１７に示す第２の起動モードを実行することが可能となっていてもよい。磁気ヒートポンプ装置１Ｂの起動時（定常状態に至る前）に第２の起動モードを実行することで、最適動作温度範囲Ｒ１よりも低いＭＣＭ熱交換器１０内の全体の温度Ｔ０を効率的に上げて、磁気ヒートポンプ装置１Ｂの立上時間の短縮を図ることができる。
【０１０７】
具体的には、（１）ＭＣＭ熱交換器１０内の温度Ｔ０が所定温度範囲Ｒ１に含まれず、且つ、（２）ＭＣＭ熱交換器１０内の温度Ｔ０が所定温度範囲Ｒ１の上限値よりも高くない場合には、制御装置９０は、図１７に示すように、第１の開閉弁２４２を開くと共に第２の開閉弁２４３を閉じることで、第１の方向制御器２４Ｂを「一方向状態」とする。また、第３の開閉弁２５２を開くことで、第２の方向制御器２５Ｂを「一方向状態」とする。また、第１の開閉弁５４２と閉じると共に第２の開閉弁５４３を開くことで、第３の方向制御器５４Ｂを「双方向状態」とする。さらに、第３の開閉弁５５２を閉じることで、第４の方向制御器５５Ｂを「遮断状態」とする。これにより、第１の往復ポンプ４０と第２の往復ポンプ７０の間に、第１の経路（図１７において実線及び破線の太矢印）が形成される。
【０１０８】
そして、この第１の経路が形成された状態で、制御装置９０の指示に基づいて、磁気印加装置１５による着磁／消磁及びポンプ４０，７０の往復動作を繰り返すことで、磁気熱量効果によってＭＣＭ１１の発熱と吸熱が繰り返されると共に、液体媒体が磁気ヒートポンプ装置１Ｂ内を移動する。
【０１０９】
この際、ＭＣＭ熱交換器１０の低温端と低温側往復ポンプ４０との間には、第１及び第２の方向制御器２４Ｂ，２５Ｂによって、低温側熱交換器３０を含む第１〜第３の配管２１〜２３を経由する液体媒体の「循環流」が形成される。これに対し、ＭＣＭ熱交換器１０の高温端と高温側往復ポンプ７０との間には、第３及び第４の方向制御器５４Ｂ，５５Ｂによって、第５の配管５２、高温側熱交換器６０、及び第６の配管５３を経由する液体媒体の「往復流」が形成される。このため、ＭＣＭ１１の発熱作用を利用して当該ＭＣＭ１１自体を加熱しつつ、ＭＣＭ１１の吸熱は低温側熱交換器３０を介して外部に排出することで、ＭＣＭ熱交換器１０内を暖めて当該ＭＣＭ熱交換器１０内の温度Ｔ０を最適動作温度範囲Ｒ１に近づけることができる。そして、この第２の起動モードによりＭＣＭ熱交換器１０全体が加熱されたら、上述の定常モードに移行する。
【０１１０】
なお、この図１７に示す第２の起動モードにおいては、第３の方向制御器５４Ｂが本発明における第１の方向制御器の一例に相当し、第４の方向制御器５５Ｂが本発明における第２の方向制御器の一例に相当し、第１の方向制御器２４Ｂが本発明における第３の方向制御器の一例に相当し、第２の方向制御器２５Ｂが本発明における第４の方向制御器の一例に相当する。
【０１１１】
さらに、本実施形態における磁気ヒートポンプ装置１Ｂは、図１８に示す第３の起動モードを実行することが可能となっていてもよい。
【０１１２】
具体的には、先ず、制御装置９０が、ＭＣＭ熱交換器１０内の温度差ΔＴ１を算出し、この温度差ΔＴ１をと所定値Ｋ１と比較する。そして、温度差ΔＴ１が所定値Ｋ１未満である場合（ΔＴ１＜Ｋ１）には、制御装置９０は、図１８に示すように、第１の開閉弁２４２を閉じると共に第２の開閉弁２４３を開くことで、第１の方向制御器２４Ｂを「双方向状態」とする。また、第３の開閉弁２５２を閉じることで、第２の方向制御器２５Ｂを「遮断状態」とする。また、第１の開閉弁５４２と閉じると共に第２の開閉弁５４３を開くことで、第３の方向制御器５４Ｂを「双方向状態」とする。さらに、第３の開閉弁５５２を閉じることで、第４の方向制御器５５Ｂを「遮断状態」とする。これにより、第１の往復ポンプ４０と第２の往復ポンプ７０の間に、第３の経路（図１８において実線及び破線の太矢印）が形成される。
【０１１３】
そして、この第３の経路が形成された状態で、制御装置９０の指示に基づいて、磁気印加装置１５による着磁／消磁及びポンプ４０，７０の往復動作を繰り返すことで、磁気熱量効果によってＭＣＭ１１の発熱と吸熱が繰り返されると共に、液体媒体が磁気ヒートポンプ装置１内を移動する。
【０１１４】
この際、ＭＣＭ熱交換器１０の低温端と低温側往復ポンプ４０との間には、第１及び第２の方向制御器２４Ｂ，２５Ｂによって、第２の配管２２、低温側熱交換器３０、及び第３の配管２３を経由する液体媒体の「往復流」が形成される。また、ＭＣＭ熱交換器の高温端と高温側往復ポンプ７０との間にも、第３及び第４の方向制御器５４Ｂ，５５Ｂによって、第５の配管５２、高温側熱交換器６０、及び第６の配管５３を経由する液体媒体の「往復流」が形成される。このため、ＭＣＭ１１の吸熱及び発熱作用を利用して当該ＭＣＭ１１自体の低温端を冷却すると共に当該ＭＣＭ１１自体の高温端を加熱することができるので、ＭＣＭ１１に温度勾配を効率的に発生させることができる。この第３の起動モードによりＭＣＭ１１に十分な温度勾配が形成され、温度差ΔＴ１が所定値Ｋ１以上となったら（ΔＴ１≧Ｋ１）、上述の定常モードに移行する。
【０１１５】
以上のように、本実施形態では、第１実施形態と同様に、第１及び第３の方向制御器２４Ｂ，５４Ｂが「双方向状態」又は「一方向状態」を切替可能であり、第２及び第４の方向制御器２５Ｂ，５５Ｂが「一方向状態」又は「遮断状態」を切替可能である。これにより、第１又は第２の配管系２０，５０の少なくとも一方に液体媒体の「往復流」を形成することができるので、短時間で磁気ヒートポンプ装置１を定常状態とすることが可能となる。
【０１１６】
なお、磁気ヒートポンプ装置が、上述の第２及び第３の起動モードを実行しない場合には、図１９（ａ）及び図１９（ｂ）に示すように、第３及び第４の方向制御器５４Ｂ，５５Ｂの構成を簡素化してもよい。図１９（ａ）及び図１９（ｂ）は、本発明の第２実施形態における磁気ヒートポンプ装置の第５変形例を示す配管回路図であり、図１９（ａ）は第１の起動モードを示す図であり、図１９（ｂ）は定常モードを示す図である。
【０１１７】
すなわち、図１９（ａ）及び図１９（ｂ）に示すように、第３の方向制御器５４Ｂを第１の逆止弁５４１のみで構成すると共に、第４の方向制御器２５も第２の逆止弁５５１のみで構成してもよい。この場合には、制御装置９０は、（１）ＭＣＭ熱交換器１０内の温度Ｔ０が所定温度範囲Ｒ１に含まれるか否かのみを判断すればよい。なお、特に図示しないが、第３又は第４の方向制御器５４Ｂ，５５Ｂの一方を逆止弁のみで構成し、第４又は第３の方向制御器５５Ｂ，５４Ｂの他方については構成を簡素化しなくてもよい。
【０１１８】
以上のように、図１９（ａ）及び図１９（ｂ）に示す変形例では、第１の方向制御器２４Ｂが「双方向状態」又は「一方向状態」を切替可能であり、第２の方向制御器２５Ｂが「一方向状態」又は「遮断状態」を切替可能であり、第３及び第４の方向制御器５４Ｂ，５５Ｂが流体の流通方向を一方向に制限するように構成されている。これにより、第１の配管系２０に液体媒体の「往復流」を形成することができるので、短時間で磁気ヒートポンプ装置１を定常状態とすることが可能となる。
【０１１９】
或いは、磁気ヒートポンプ装置が、上述の第１及び第３の起動モードを実行しない場合には、図２０（ａ）及び図２０（ｂ）に示すように、第１及び第２の方向制御器２４Ｂ，２５Ｂの構成を簡素化してもよい。図２０（ａ）及び図２０（ｂ）は、本発明の第２実施形態における磁気ヒートポンプ装置の第６変形例を示す配管回路図であり、図２０（ａ）は第２の起動モードを示す図であり、図２０（ｂ）は定常モードを示す図である。
【０１２０】
すなわち、図２０（ａ）及び図２０（ｂ）に示すように、第１の方向制御器２４Ｂを第１の逆止弁２４１のみで構成すると共に、第２の方向制御器２５Ｂも第２の逆止弁２５１のみで構成してもよい。この場合にも、制御装置９０は、（１）ＭＣＭ熱交換器１０内の温度Ｔ０が所定温度範囲Ｒ１に含まれるか否かのみを判断すればよい。なお、特に図示しないが、第１又は第２の方向制御器２４Ｂ，２５Ｂの一方を逆止弁のみで構成し、第２又は第１の方向制御器２５Ｂ，２４Ｂの他方については構成を簡素化しなくてもよい。
【０１２１】
なお、上述の図１７に示す例と同様に、この図２０（ａ）及び図２０（ｂ）に示す例においては、第３の方向制御器５４Ｂが本発明における第１の方向制御器の一例に相当し、第４の方向制御器５５Ｂが本発明における第２の方向制御器の一例に相当し、第１の方向制御器２４Ｂが本発明における第３の方向制御器の一例に相当し、第２の方向制御器２５Ｂが本発明における第４の方向制御器の一例に相当する。
【０１２２】
以上のように、図２０（ａ）及び図２０（ｂ）に示す変形例では、第３の方向制御器５４Ｂが「双方向状態」又は「一方向状態」を切替可能であり、第４の方向制御器５５Ｂが「一方向状態」又は「遮断状態」を切替可能であり、第１及び第２の方向制御器２４Ｂ，２５Ｂが流体の流通方向を一方向に制限するように構成されている。これにより，第２の配管系５０に液体媒体の「往復流」を形成することができるので、短時間で磁気ヒートポンプ装置１を定常状態とすることが可能となる。
【０１２３】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１２４】
磁気ヒートポンプ装置１が、低温側往復ポンプ４０の機能と高温側往復ポンプ７０の機能を備えていれば、これらの機能を実現する往復ポンプ装置は上記に特に限定されない。例えば、ピストンを挟んで配置された２つのポートが形成されたシリンダを有する単一の往復ポンプ装置を用いて、一方のポートを低温側配管系２０の接続点２０ａに接続すると共に、他方のポートを高温側配管系５０の接続点５０ａに接続することで、低温側往復ポンプの機能と高温側往復ポンプの機能を実現してもよい。
【０１２５】
また、例えば、図２１に示すように、第１実施形態で説明した複数の磁気ヒートポンプ装置１を直列に接続して、複合的な一台の磁気ヒートポンプ装置１００を構成してもよい。図２１は本発明の第３実施形態における磁気ヒートポンプ装置を示す図である。図２１に示す例では、一方の磁気ヒートポンプ装置１の接続点５０ａと他方の磁気ヒートポンプ装置１の接続点５０ａを、配管１１０を介して連結することで、２つの磁気ヒートポンプ装置１を直列的に接続している。
【０１２６】
このように、高温側往復ポンプ７０が、別の磁気ヒートポンプ装置１を介して、磁気ヒートポンプ装置１の高温側配管系５０に間接的に接続されていてもよい。また、特に図示しないが、低温側往復ポンプ４０が、別の磁気ヒートポンプ装置１を介して、磁気ヒートポンプ装置１の低温側配管系２０に間接的に接続されていてもよい。
【０１２７】
すなわち、本発明における「第１及び第２の配管系にそれぞれ接続された第１及び第２の往復ポンプ」には、「第１の配管系に直接的に接続された第１の往復ポンプ、及び、第２の配管系に直接的に接続された第２の往復ポンプ」の他に、「第１の配管系に直接的に接続された第１の往復ポンプ、及び、第２の配管系に間接的に接続された第２の往復ポンプ」、「第１の配管系に間接的に接続された第１の往復ポンプ、及び、第２の配管系に直接的に接続された第２の往復ポンプ」、並びに、「第１の配管系に間接的に接続された第１の往復ポンプ、及び、第２の配管系に間接的に接続された第２の往復ポンプ」も含まれる。
【０１２８】
なお、磁気ヒートポンプ装置１００を構成する磁気ヒートポンプ装置１の数は特に限定されない。また、第２実施形態で説明した磁気ヒートポンプ装置１Ｂを用いて、本実施形態の磁気ヒートポンプ装置１００を構成してもよいし、磁気ヒートポンプ装置１，１Ｂを混在させて本実施形態の磁気ヒートポンプ装置１００を構成してもよい。
【０１２９】
また、例えば、上述の実施形態では、磁気ヒートポンプ装置を家庭用或いは自動車等の空気調和装置に適用した例について説明したが、特にこれに限定されない。例えば、用途に応じた適切なキュリー温度を有するＭＣＭを選定することで、冷凍機のような極低温域での用途、或いは、ある程度高温域での用途に、本発明に係る磁気ヒートポンプ装置を適用してもよい。
【符号の説明】
【０１３０】
１，１Ｂ…磁気ヒートポンプ装置
１０…ＭＣＭ熱交換器
１０ａ〜１０ｄ…第１〜第４のポート
１１…ＭＣＭ
１２…ケース
１５…磁場印加装置
１５１…永久磁石
１５２…アクチュエータ
２０…低温側配管系
２１〜２３…第１〜第３の配管
２０ａ…接続点
２４，２４Ｂ…第１の方向制御器
２４１…第１の逆止弁
２４２…第１の開閉弁
２４３…第２の開閉弁
２５，２５Ｂ…第２の方向制御器
２５１…第２の逆止弁
２５２…第３の開閉弁
３０…低温側熱交換器
３０ａ，３０ｂ…ポート
４０…低温側往復ポンプ
４１…ピストン
４２…配管
５０…高温側配管系
５１〜５３…第４〜第６の配管
５０ａ…接続点
５４，５４Ｂ…第３の方向制御器
５４１…第１の逆止弁
５４２…第１の開閉弁
５４３…第２の開閉弁
５５，５５Ｂ…第４の方向制御器
５５１…第２の逆止弁
５５２…第３の開閉弁
６０…高温側熱交換器
６０ａ，６０ｂ…ポート
７０…高温側往復ポンプ
７１…ピストン
７２…配管
８１…第１の温度センサ
８２…第２の温度センサ
９０…制御装置
１００…磁気ヒートポンプ装置
１１０…配管
【図１】
2019027610.tif 000003
【図２】
2019027610.tif 000004
【図３】
2019027610.tif 000005
【図４】
2019027610.tif 000006
【図５】
2019027610.tif 000007
【図６】
2019027610.tif 000008
【図７】
2019027610.tif 000009
【図８】
2019027610.tif 000010
【図９】
2019027610.tif 000011
【図１０】
2019027610.tif 000012
【図１１】
2019027610.tif 000013
【図１２】
2019027610.tif 000014
【図１３】
2019027610.tif 000015
【図１４】
2019027610.tif 000016
【図１５】
2019027610.tif 000017
【図１６】
2019027610.tif 000018
【図１７】
2019027610.tif 000019
【図１８】
2019027610.tif 000020
【図１９】
2019027610.tif 000021
【図２０】
2019027610.tif 000022
【図２１】
2019027610.tif 000023